(57)【要約】      （修正有）【課題】寝具によって構成される防災用品を提供する。【解決手段】防災兼用寝具１は、樹脂発泡体粒子と樹脂発泡体粒子を収容する袋とを備えた寝具である。樹脂発泡体粒子は、独立気泡を有する。防災兼用寝具１は、水に浮遊可能である。防災兼用寝具１は、樹脂発泡体粒子と袋とが芯材を構成し、この芯材を収容するカバー５を備えていてもよい。防災兼用寝具１は、マット、布団、又は枕であってよい。防災兼用寝具１は、好ましくは、発光部７、取っ手８を有する。【選択図】図１
2016005548.tif 000002
【特許請求の範囲】
【請求項１】
樹脂発泡体粒子と前記樹脂発泡体粒子を収容する袋とを備えた寝具であって、
前記樹脂発泡体粒子は、独立気泡を有し、
当該寝具は、水に浮遊可能であることを特徴とする、防災兼用寝具。
【請求項２】
外光に応じて光を発する発光部を備えることを特徴とする、請求項１に記載の防災兼用寝具。
【請求項３】
取っ手を備えることを特徴とする、請求項１又は２に記載の防災兼用寝具。
【請求項４】
外面で開口する袋部が設けられ、
前記取っ手は、前記袋部内に設けられていることを特徴とする、請求項３に記載の防災兼用寝具。
【請求項５】
前記樹脂発泡体粒子と前記樹脂発泡体粒子を収容する前記袋とは芯材を構成し、
当該寝具は、前記芯材を収容するカバーを備えることを特徴とする、請求項１〜４のいずれか１項に記載の防災兼用寝具。
【請求項６】
前記カバーは撥水性を有することを特徴とする、請求項５に記載の防災兼用寝具。
【請求項７】
前記カバーは、ポケットを有することを特徴とする、請求項５又は６に記載の防災兼用寝具。
【請求項８】
前記カバーは、前記ポケットの開口部分に、開閉可能なファスナを有することを特徴とする、請求項７に記載の防災兼用寝具。
【請求項９】
前記ポケットは、メッシュ生地を有することを特徴とする、請求項７又は８に記載の防災兼用寝具。
【請求項１０】
当該寝具は、マット、布団、又は枕であることを特徴とする、請求項１〜９のいずれか１項に記載の防災兼用寝具。
【発明の詳細な説明】
【技術分野】
【０００１】
本発明は、寝具に関する。より詳しくは、被災時に救助具として使用可能な防災兼用の寝具に関する。
【背景技術】
【０００２】
従来、樹脂発泡体の粒子が充填された芯材をカバーで包んだ寝具が知られている。例えば特許文献１では、樹脂発泡体の粒子によって、軽量化を図ることができ、通気性、ヘタリを低減した布団が提案されている。
【０００３】
ところで、近年、大地震などによって津波が来たり、大雨によって洪水が発生したりといった災害の発生が起こっている。特に水による災害は、大きな被害をもたらしている。そのため、これらの災害から身を守る簡便な方法が求められている。水害に対する防災用の救助具として、ゴムボードなどが考えられる。しかし、緊急時に空気を入れて使用するのは煩雑性を伴う。また、ゴムボートを通常から水に浮遊可能な状態で準備しておくと、保管場所をとるため、特に保管スペースが多くとれない地域では現実的ではない。さらに、深夜など不用意に災害が発生する場合もあり、そのような場合に防災用品を適切に取り出して使用することは容易ではない。
【先行技術文献】
【特許文献】
【０００４】
【特許文献１】実用新案登録公報３０８７９３０号
【発明の概要】
【発明が解決しようとする課題】
【０００５】
本発明は、寝具によって構成される防災用品を提供することを目的とする。
【課題を解決するための手段】
【０００６】
本発明に係る防災兼用寝具は、樹脂発泡体粒子と前記樹脂発泡体粒子を収容する袋とを備えた寝具である。前記樹脂発泡体粒子は、独立気泡を有する。当該防災兼用寝具は、水に浮遊可能である。
【発明の効果】
【０００７】
本発明によれば、通常は寝具として使用することができるとともに、水害が生じた場合には救助具として水に浮遊して人命を救助することができる。
【図面の簡単な説明】
【０００８】
【図１】図１は図１Ａ〜図１Ｃから構成される。図１は、防災兼用寝具であるマットの一例（マットの第１例）を示している。図１Ａは斜視図である。図１Ｂは平面図である。図１Ｃは底面図である。
【図２】図２は図２Ａ〜図２Ｃから構成される。図２は、図１のマット（マットの第１例）の内部を示している。図２Ａは、マットを分解した斜視図である。図２Ｂは、マットの断面図である。図２Ｃは、マットの拡大断面図である。
【図３】図３は図３Ａ〜図３Ｄから構成される。図３は、防災兼用寝具である枕の一例を示している。図３Ａは斜視図である。図３Ｂは分解した斜視図である。図３Ｃは断面図である。図３Ｄは防災用途の説明図である。
【図４】図４は図４Ａ〜図４Ｃから構成される。図４は、防災兼用寝具であるマットの他の一例（マットの第２例）を示している。図４Ａは斜視図である。図４Ｂは断面図である。図４Ｃは巻いたときのマットの斜視図である。
【図５】図５は図５Ａ〜図５Ｃから構成される。図５は、防災兼用寝具であるマットの一例（マットの第３例）を示している。図５Ａは斜視図である。図５Ｂは平面図である。図５Ｃは底面図である。
【図６】図６は図６Ａ〜図６Ｃから構成される。図６は、図５のマット（マットの第３例）の内部を示している。図６Ａは、マットを分解した斜視図である。図６Ｂは、マットの断面図である。図６Ｃは、マットの拡大断面図である。
【図７】図７は図７Ａ〜図７Ｄから構成される。図７は、図５及び図６のマット（マットの第３例）の使用例を示している。図７Ａは、就寝時の説明図である。図７Ｂは、被災時の使用の説明図である。図７Ｃは、持ち運び時の説明図である。図７Ｄは、水害時の使用の説明図である。
【図８】図８はマットの実施例を示す写真である。
【発明を実施するための形態】
【０００９】
本発明の寝具は、防災兼用寝具１（以下単に「寝具１」ともいう）である。この寝具１は、樹脂発泡体粒子２と、樹脂発泡体粒子２を収容する袋３とを備える。樹脂発泡体粒子２は、独立気泡を有する。この寝具１は、水に浮遊可能である。
【００１０】
図１及び図２は、防災兼用寝具の一例（マットの第１例）を示している。この防災兼用寝具１は、マット１Ａである。図１は図１Ａ〜図１Ｃから構成される。図２は図２Ａ〜図２Ｃから構成される。図２Ａでは、マット１Ａの内部が分かりやすいよう、カバー５の上側を除去して内部の様子を描画している。図２Ｂではマット１Ａの長手方向での断面が示されている。図２Ｃは図２Ｂを拡大した図である。図２Ｂ及び図２Ｃは模式的な断面図であり、袋３及びカバー５の厚みを拡大して表示している。図２では、取っ手８及び発光部７を省略して描画している。
【００１１】
図１及び図２で示されるマット１Ａは、樹脂発泡体粒子２と袋３とカバー５とを備える。防災兼用寝具１は、寝具として機能するクッション性を有する。マット１Ａは寝装用の敷物であってよい。マット１Ａは布団の下敷きの機能を有していてよい。マット１Ａの上に敷きパッドや敷布団を敷いて人が横たわることができる。もちろん、マット１Ａの上に直接人が載ってもよい。マット１Ａは、布団として使用することもできる。布団は、直接又はその上にシーツなどを敷いて人が横になる機能を有していてよい。マット又は布団の上において人は寝ころぶことができる。この寝具１は、敷物として構成される。以下では、代表してマット１Ａが説明されるが、布団も同様の構成を有していてよい。
【００１２】
図２に示すように、カバー５内には芯材１０が収容されている。芯材１０は、樹脂発泡体粒子２と袋３とを有する。樹脂発泡体粒子２を収容した袋３は、マット１Ａの芯材１０を構成する。袋３の内部には樹脂発泡体粒子２が充填されている。樹脂発泡体粒子２は芯材１０が膨らんで形状が保持される程度に袋３に充填されていることが好ましい。
【００１３】
樹脂発泡体粒子２は、樹脂が発泡して硬化することで形成された粒子であってよい。樹脂としては、ポリオレフィン、ポリウレタンなどが例示される。これらの樹脂は独立気泡が容易に得られ、水への浮遊作用に優れている。また、これらの樹脂は繰り返し圧縮に対する耐久性が高い。樹脂発泡体粒子２はクッションの役目を果たし、マット１Ａに弾力性を付与することができる。ポリオレフィンは、断熱性に優れ、下からの冷気をしのぐ効果がある。そのため、災害時の被災所での使用に適している。ポリオレフィンとしては、ポリエチレン、ポリプロピレン、ポリスチレンなどが好ましい。樹脂として、ポリエチレンが特に好ましい。
【００１４】
樹脂発泡体粒子２は独立気泡を有している。それにより、水に浮く作用（水浮き作用）が高く得られる。樹脂の発泡には、独立気泡方式と連続気泡方式とがあるが、連続気泡方式では、連通した孔を通して水が侵入するため十分な水浮き作用が得られない。そのため、独立気泡方式が好適である。独立気泡を有する樹脂は、樹脂の中で気泡が独立して存在する構造を有する。そのため、独立気泡内の空気が保持されやすくなるため、水浮き作用が高くなる。
【００１５】
樹脂発泡体粒子２は、発泡倍率が５０〜９０倍の範囲が好ましい。それにより、高い水浮き作用が得られる。また、樹脂発泡体粒子２の発泡倍率がこの範囲内であると、軽量化と耐久性との両立が容易である。
【００１６】
樹脂発泡体粒子２は、略球形の粒子であることが好ましい。樹脂発泡体粒子２は、粒径が５〜９ｍｍの範囲内であることが好ましい。樹脂発泡体粒子２の粒径がこの範囲になることで、マット１Ａに好適な弾力性と通気性とが容易に付与される。また、マット１Ａにヘタリが生じにくくなる。樹脂発泡体粒子２はビーズであってよい。樹脂発泡体粒子２は、廃棄物から形成されたものであってもよい。その場合、樹脂発泡体の成形物を砕くことにより、樹脂発泡体粒子２が得られる。
【００１７】
袋３は、樹脂発泡体粒子２を収容する機能を有する。袋３は布で形成されていてよい。袋３は、二枚の布地を重ね、縫い合わせて形成されるものであってよい。あるいは、袋３は、一枚の布地を折り重ね、縫い合わせて形成されるものであってもよい。袋３は、布地の縫着によって形成される。複数の樹脂発泡体粒子２は袋３に移動可能に収容されていることが好ましい。樹脂発泡体粒子２が移動可能であると、寝具に弾性を与え、寝心地を向上することができる。マット１Ａでは芯材１０に樹脂発泡体粒子２を使用しているため、板体（板状の成形体）を芯材に使用する場合よりも、クッション性が高まる。
【００１８】
袋３の生地としては、ポリエステル繊維、ポリアミド繊維、ポリオレフィン繊維、ポリウレタン繊維などが例示されるが、これに限定されるものではない。ポリエステル繊維は、加工が容易であり好ましく用いられる。
【００１９】
図２のマット１Ａの例では、芯材１０は三つである。三つの芯材１０は、マット１Ａの長手方向に並んで配置されている。マット１Ａの長手方向の両端部においては、人が横たわったときに、一方の端部に人の頭が配置され、他方の端部に人の足が配置され得る。マット１Ａの長手方向の中央部においては、人が横たわったときに、人の腰が配置され得る。芯材１０が三つであると、マット１Ａの三つ折りが容易になるため、取り扱い性が高まる。芯材１０の数はこれに限定されるものではなく、一つであってもよいし、二つであってもよいし、四つ以上であってもよい。
【００２０】
芯材１０は、マット１Ａの短手方向に延伸する複数の筒状の袋室１１を有している。図２の例では、一つの芯材１０において袋室１１の数は１１個であるが、これに限定されるものではない。袋室１１の数は、例えば、５個〜３０個の範囲であってよい。複数の袋室１１は、袋３を構成する布の縫着によって形成されている。袋室１１は、マット１Ａの短手方向に沿った方向に表地と裏地とが縫着されることで区切られている。芯材１０では、筒状の袋室１１が形成されることで、袋室１１に充填された樹脂発泡体粒子２はマット１Ａの長手方向に動くことが抑制される。そのため、マット１Ａに好適な弾力性が付与される。
【００２１】
図２のマット１Ａの例では、一種類の芯材１０を合計三つ配置した例を示しているが、芯材１０の種類及び配置はこれに限定されるものではない。芯材１０は、二種類が両端部と中央部とで種類が異なって三つ配置されたり、三種類が長手方向に三つ配置されたりしてもよい。
【００２２】
袋３は、撥水性を有していてもよいし、撥水性を有していなくてもよい。袋３が撥水性を有する場合、袋３が水を吸収することが抑制されるため、水浮き作用が向上する。撥水性は、袋３を構成する布地の表面が撥水処理されることで付与され得る。あるいは、撥水性は、袋３が撥水性を有する繊維で形成されることで付与されてもよい。撥水処理は、適宜の撥水剤で行われ得る。
【００２３】
袋３は、開閉可能なファスナ４を有していてもよい。それにより、樹脂発泡体粒子２の袋３への充填が容易になり、製造性が向上する。さらに、樹脂発泡体粒子２はファスナ４を通して袋３から出し入れ可能であってもよい。樹脂発泡体粒子２が袋３から出し入れ可能であると、樹脂発泡体粒子２の量の調整が容易になる。
【００２４】
ファスナ４は芯材１０の側部に配置されていることが好ましい。それにより、樹脂発泡体粒子２の収容が容易になる。図２では、芯材１０のファスナ４はマット１Ａの短手方向の端部に設けられている。ファスナ４は袋室１１を構成する筒の長手方向の端部に設けられているといってもよい。ファスナ４の位置はこれに限定されるものではない。ファスナ４は、全ての袋室１１を開閉可能なように設けられていることが好ましい。ファスナ４は線ファスナで構成され得る。ファスナ４はチャック又はジッパーであってよい。ファスナ４の材料は、金属や、ポリアミド、ポリエステル、ポリオレフィン、ポリウレタンなどの樹脂が例示されるが、これに限定されるものではない。例えば、ファスナ４はナイロンの樹脂成形体で構成されていてよい。ファスナ４は防水ファスナであってもよいし、防水ファスナでなくてもよい。
【００２５】
防災兼用寝具１は、芯材１０を収容するカバー５を備えている。図１に示すマット１Ａでは、芯材１０はカバー５に収容されている。防災兼用寝具１では、カバー５があることにより、取り扱い性が高まる。また、カバー５によってマット１Ａに弾力性が付与される。また、図２のように芯材１０が複数の場合には、芯材１０を一つにまとめることができる。また、カバー５があることで、人が触れたときの接触感が良好になる。また、カバー５があることで、カバー５に容易に模様などの装飾を施すことができため、意匠性が向上しやすくなる。
【００２６】
カバー５は、芯材１０を収容する機能を有する。カバー５は布で形成されていてよい。カバー５は、二枚以上の布地を重ね、縫い合わせて形成されるものであってよい。あるいは、カバー５は、一枚の布地を折り重ね、縫い合わせて形成されるものであってもよい。カバー５は、布地の縫着によって形成される。カバー５は袋状に形成される。カバー５の内部は収容空間６が設けられている。収容空間６には芯材１０が配置される。
【００２７】
カバー５の生地としては、ポリアミド繊維、ポリエステル繊維、ポリオレフィン繊維、ポリウレタン繊維などが例示されるが、これに限定されるものではない。ポリアミド繊維及びポリエステル繊維は、加工が容易であり好ましく用いられる。カバー５はポリアミド繊維で形成されることがより好ましい。ポリアミド繊維はカバー５の内部への水の侵入を抑制することができるため、水浮き作用を高めることができる。ポリアミド繊維としてナイロンが例示される。
【００２８】
カバー５は、撥水性を有することが好ましい。それにより、カバー５が水を吸収することが抑制されるため、水浮き作用が向上する。撥水性は、カバー５を構成する布地の表面が撥水処理されることで付与され得る。あるいは、撥水性は、カバー５が撥水性を有する繊維で形成されることで付与されてもよい。撥水処理は、適宜の撥水剤で行われ得る。ナイロンに例示されるポリアミド繊維は撥水性に優れる。そのため、カバー５の撥水性は好ましくはナイロンに例示されるポリアミド繊維で付与される。カバー５は防水性を有することがさらに好ましい。カバー５が防水性を有する場合、カバー５内に水が侵入することが抑制される。そのため水浮き作用を向上する。ナイロンに例示されるポリアミド繊維は、防水性が容易に付与され得る。
【００２９】
カバー５は、透湿性を有することが好ましい。それにより、湿気がカバー５にたまることが抑制されるため、マット１Ａの通気性が向上する。マット１Ａが通気性を有すると、ムレが抑制され、快適な寝心地が付与され得る。また、通気性により、マット１Ａにカビが発生することが抑制される。
【００３０】
図２に示すように、カバー５は、芯材１０が複数の場合、芯材１０を分けて配置する仕切り１３を有していてもよい。仕切り１３が存在すると、芯材１０がカバー５内でずれることが抑制される。カバー５は、仕切り１３によって、芯材１０を配置するための収容空間６が区切られている。区切られた一つの収容空間６には、一つの芯材１０が配置されている。仕切り１３は、カバー５と同じ布地で形成されていることが好ましい。それにより、仕切り１３が容易に形成される。仕切り１３はカバー５の本体に縫着されていることが好ましい。カバー５の本体は、表地５１と裏地５２とで構成される。
【００３１】
芯材１０は、カバー５に縫着されていることが好ましい。芯材１０がカバー５に縫着されていると芯材１０の取り付け強度が高まる。また、芯材１０が内部で動きにくくなり、芯材１０のずれが抑制される。この場合、仕切り１３が省略されていてもよい。また、芯材１０は、カバー５に縫着されてなくてもよい。その場合、芯材１０のカバー５への収容が容易になる。芯材１０とカバー５とが縫着されていなくても、仕切り１３が存在することで、芯材１０のずれが抑制される。
【００３２】
カバー５はポケット１２を有することが好ましい。ポケット１２は書類等の平面状の物体を収容可能である。ポケット１２に収容する物体は貴重品であってよい。ポケット１２が存在すると、ポケット１２への収容によって災害時に貴重品を保護することができる。ポケット１２によって貴重品が散在することが抑制される。
【００３３】
ポケット１２はカバー５で形成される袋の内部に配置される。ポケット１２の開口はカバー５に配置される。図１Ａでは、カバー５の内部に設けられたポケット１２が破線で示されている。図２Ｃに示すように、ポケット１２は、ポケット１２を形成するための布地５３によって形成され得る。布地５３が袋状になることでポケット１２が形成される。ポケット１２は、カバー５と芯材１０との間に配置されている。図２Ｃの例では、ポケット１２は、カバー５の裏地５２と芯材１０との間に配置されている。布地５３は、カバー５の裏地５２側に配置される布地５３ａと、芯材１０側に配置される布地５３ｂとを有する。ポケット１２は、カバー５の布地と、ポケット１２を形成するための布地との隙間で形成されてもよい。ポケット１２は長方形であってよい。ポケット１２は、布地５３が縫われて形成された袋がカバー本体に固着されることで設けられ得る。ポケット１２は、収容空間６と連通していなくてよい。なお、ポケット１２はカバー５の表地５１と芯材１０との間に配置されていてもよい。
【００３４】
ポケット１２は水を通す生地で形成されていることが好ましい。ポケット１２は、メッシュ生地を有することが好ましい。布地５３ａ及び布地５３ｂの少なくとも一方がメッシュ生地となることで、ポケット１２はメッシュ生地を有することができる。ポケット１２がメッシュ生地を有すると、水に使用した後にカバー５内に入った水をポケット１２から容易に出すことができる。使用後の排水が容易となるのである。ポケット１２は、好ましくは、布地５３ａ（外側の布地）がカバー５の布地と同様の生地であり、布地５３ｂ（内側の布地）がメッシュ生地である。
【００３５】
ポケット１２は、マット１Ａの短手方向の端部に設けられることが好ましい。それにより、ポケット１２への物品の出し入れが容易になり、取り扱い性が高まる。ポケット１２は、マット１Ａの短手方向に開口していることが好ましい。ポケット１２は一つでもよいし、複数でもよい。ポケット１２が複数になると、収納性が向上する。図１のマット１Ａでは、ポケット１２は短手方向の両端部に配置されている。ポケット１２の数は２つである。
【００３６】
カバー５は、ポケット１２の開口部分に、開閉可能なファスナ９を有することが好ましい。ファスナ９はポケットの開け閉めを制御することができる。ファスナ９を介してポケット１２に物体が出し入れ可能になる。ファスナ９が存在すると、ポケット１２の内部に収容された物品の保護性を高めることができる。また、ファスナ９により、マット１Ａの水での使用後にマット１Ａ内に入った水を容易に取り出すことができる。ファスナ９を開き状態にすれば、ファスナ９の開口から排水可能である。このとき、ポケット１２がメッシュ生地を有していれば、容易に排水が可能である。
【００３７】
ファスナ９はマット１Ａの側部に配置されていることが好ましい。それにより、寝具としての使用時に邪魔にならず、水での使用後の排水が容易となる。図１の例では、ファスナ９は、マット１Ａの短手方向の端部に配置されている。ファスナ９の位置はこれに限定されるものではない。ファスナ９はその長手方向がマット１Ａの長手方向に沿って配置されている。ファスナ９は線ファスナで構成され得る。ファスナ９はいわゆるチャック又はジッパーであってよい。ファスナ９の材料は、金属や、ポリアミド、ポリエステル、ポリオレフィン、ポリウレタンなどの樹脂が例示されるが、これに限定されるものではない。例えば、ファスナ９はナイロンの樹脂成形体で構成されていてよい。ファスナ９は防水ファスナであることが好ましい。それにより、カバー５への水の侵入を抑制することができる。防水ファスナは、閉じ状態のときに開閉部分を通して水が通りにくい構造を有しているものであってよい。
【００３８】
ファスナ９の長手方向の長さ、すなわち、ポケット１２の開口の長さは、特に限定されるものではないが、例えば、１０〜３０ｃｍの範囲内であってよい。ポケット１２の奥行は、特に限定されるものではないが、例えば、１０〜５０ｃｍの範囲内であってよい。
【００３９】
カバー５は、外光に応じて光を発する発光部７を有することが好ましい。発光部７が存在すると、夜間などの暗いときでも、発光部７から発する光によって、外部から容易にマット１Ａが視認される。そのため、救助が容易となる。
【００４０】
発光部７は、外光に応じて光る機能を有するものであれば、特に限定されない。発光部７は、光反射体、蓄光体、蛍光体などによって構成され得る。光反射体は、外部から光が照射されたときに、光を反射させる機能を有する。蓄光体は、外部から照射された光を蓄えて暗いときに光を発する機能を有する。蛍光体は、外部から光が照射されたときに、明るく光る機能を有する。
【００４１】
発光部７は、シート材によって構成され得る。発光部７は、発光性を有する塗料が直接カバー５に塗布されることによっても形成され得るが、シート材で構成する方が容易に形成される。シート材は、樹脂製であってもよいし、布製であってもよい。図１では、発光部７は帯状のシート材で構成されている。発光部７はテープ材で構成され得る。発光部７はカバー５に固着されている。発光部７はカバー５に縫着されていてよい。発光部７は帰光テープなどで容易に形成され得る。発光部７の発光性は発光塗料を含むことで付与され得る。発光部７を構成するシート材の材質は特に限定されるものではないが、ポリアミド樹脂、ポリエステル樹脂、ポリオレフィン樹脂、ポリウレタン樹脂などが例示される。発光部７は例えばナイロンにより構成され得る。発光部７は、再帰反射テープで形成されることが好ましい。
【００４２】
図１のマット１Ａでは、発光部７は、マット１Ａの表面と裏面とを含んで周状に配置されている。それにより、水に浮いたときに、マット１Ａの表面と裏面とのいずれの面が上側に配置されても、発光部７が水面から出やすくなるため、外部から確認されやすくなる。発光部７は、マット１Ａの長手方向の両端部に設けられることが好ましい。発光部７が両端部に設けられることにより、外部からの視認性が高まる。
【００４３】
カバー５は、取っ手８を有することが好ましい。カバー５が取っ手８を有すると、被災した人は、水に浮いたときに取っ手８をつかんで自身の体を保持することができ、寝具１の水浮き作用を利用して、水に浮くことができる。そのため、救助性が高まる。取っ手８は、水に浮かんだマット１Ａ上の人を支持することができる。取っ手８は、マット１Ａ上にいないマット１Ａ近辺で水に浮遊する人がつかむこともできる。取っ手８を利用すると、複数の人の救助が可能になる。取っ手８は、マット１Ａの側部に配置されている。それにより、寝具としての使用時に邪魔になりにくく、救助活動時における取り扱い性が高まる。
【００４４】
図１のマット１Ａは、取っ手８を複数有している。そのため、取っ手８による救助性が高まる。取っ手８は、マット１Ａの短手方向の両端部に設けられることが好ましい。それにより、マット１Ａ上の人は左右の手で取っ手８をつかむことができる。また、マット１Ａ近辺において、マット１Ａの両端で離れた複数の人の救助が可能になる。取っ手８は、マット１Ａの長手方向において複数設けられていることが好ましい。取っ手８は、マット１Ａの長手方向にわたって、間隔をあけて複数配置されていることが好ましい。図１のマット１Ａでは、取っ手８は、マット１Ａの短手方向の一つの側部で、マット１Ａの長手方向に沿って三つ配置されている。取っ手８は合計六つである。このように取っ手８が配置されると、救助性が高まる。
【００４５】
図１で示すように、取っ手８は折り畳まれて、マット１Ａの裏面上に配置されている。マット１Ａを表側から見たときには、取っ手８は隠れている。このように、取っ手８はマット１Ａの側部で飛び出さないことが好ましい。それにより、人体や物品が取っ手８にひっかかったりして、不用意に怪我や破損が発生することが抑制される。また、取っ手８が隠れていると、マット１Ａの意匠性が高まる。取っ手８は、取っ手８を使用する際に、引き出されてマット１Ａの側部に配置され得る。図１Ｃでは、図の右下の取っ手８において、引き出されて使用状態になった取っ手８ｐが破線で示されている。
【００４６】
図１のマット１Ａでは、取っ手８は帯材８ａによって構成されている。帯材８ａは、樹脂製、布製などであってよい。例えば、樹脂繊維を編み込んだベルト状の帯材８ａでは、強固な取っ手８が形成される。取っ手８はカバー５に固着されている。取っ手８はカバー５に縫着されていてよい。帯材８ａの材質は特に限定されるものではないが、ポリアミド樹脂、ポリエステル樹脂、ポリオレフィン樹脂、ポリウレタン樹脂などが例示される。帯材８ａは例えばポリプロピレンにより構成され得る。取っ手８は、帯材８ａのうちのカバー５に縫着されていない部分で形成され得る。
【００４７】
図１Ｃに示すように、取っ手８を構成する帯材８ａは、マット１Ａの裏面において、マット１Ａの両端部に配置される二つの取っ手８に繋がって配置されている。このように、複数の取っ手８を構成する帯材８ａが配置されることで、取っ手８の固定強度が高まる。そのため、取っ手８による救助性が向上する。図１では、取っ手８を構成する帯材８ａは、ループ状に配置されている。そのため、取っ手８の固定強度が高まる。
【００４８】
取っ手８は、通常の寝具としての使用にも有効である。取っ手８があると、マット１Ａの移動が容易になる。さらに、取っ手８は、水害以外の災害をはじめとする緊急時の救助活動においても有効である。取っ手８を有するマット１Ａは担架として利用可能である。救助を行う人は、取っ手８を持ってマット１Ａ上の人（けが人、病人など）を持ち上げて移動させることができる。担架として使用するためには、図１のように、短手方向の両端部に取っ手８が設けられていることが好ましい。それにより、左右で持ち上げることが可能になる。また、取っ手８を構成する帯材８ａは裏面においてマット１Ａを横切っていることが好ましい。それにより、マット１Ａ上の人の重みを帯材８ａで受けることができ、人の搬送が容易となる。
【００４９】
防災兼用寝具１であるマット１Ａは、水に浮遊可能である。そのため、洪水、津波などの水害が発生したときには、水に浮遊するマット１Ａによって人命が救助される。マット１Ａの水浮き作用は、樹脂発泡体粒子２の気泡によって生じる。独立気泡では高い浮力が得られる。マット１Ａは、淡水において、マット１Ａに載置された２００ｋｇ以上の物体を浮かせることが好ましい。それにより、水害時に容易に人を救助することができる。マット１Ａは、淡水においてマット１Ａに載置された３００ｋｇ以上の物体を浮かせることが好ましく、５００ｋｇ以上の物体を浮かせることが好ましく、１０００ｋｇ以上の物体を浮かせることが好ましい。浮かせる際の物体は、重りであってもよいし、人又は人の模型などが使用されてもよい。
【００５０】
マット１Ａは水に耐性のある材料で形成され得る。マット１Ａは水洗い可能であることが好ましい。マット１Ａが水洗いできると、マット１Ａが汚れたときに洗うことができるため、マット１Ａの清潔性を維持することができる。マット１Ａは水洗いの後、あるいは、水での使用後に、排水が可能である。マット１Ａは、内部に水が入ったとしても、乾燥により、再び人が寝るためのマット１Ａとして使用可能である。
【００５１】
マット１Ａのサイズは、特に限定されるものではないが、人が横たわることが可能なサイズであることが好ましい。マット１Ａは、例えば、長手方向の長さ（縦）が１００〜３００ｃｍの範囲内で、短手方向の長さ（横）が５０〜２００ｃｍの範囲内であってよい。例えば、布団やマットに汎用されているサイズ（縦２１０ｃｍ、横１００ｃｍ）が採用され得る。また、上記のマット１Ａでは、製造時にサイズの変更が容易である。そのため、例えば横の長さを小さくすることが可能である。例えば、船などの乗物に例示されるスペースが限られたところで使用するには、横の長さは短い方が好ましい場合がある。そのため、マット１Ａの短手方向の長さ（横）は、１００ｃｍ以下であってもよい。
【００５２】
防災兼用寝具１は、通常は、寝具として使用可能である。マット１Ａは、人が就寝時に横たわる際のマットとして使用できる。マット１Ａは、家屋やマンションやビル内などで使用できる。マット１Ａは、樹脂発泡体粒子２が充填された芯材１０を有するため、弾力性に優れ、使用者に快適な使用感を与えることができる。また、マット１Ａは、繰り返し圧縮に対する耐久性が高く、体重によるヘタリの発生が抑制される。マット１Ａは、長期間に亘って柔らかい感触で快適に寝心地よく使用することができる。マット１Ａは、樹脂発泡体粒子２を含むため、軽量で取り扱い性が優れている。さらに、芯材１０は樹脂発泡体粒子２の集合体であるため、樹脂発泡体粒子２の隙間を通して空気が流れやすい。そのため、マット１Ａは通気性に優れ、快適な使用感を付与することができる。
【００５３】
そして、水害が発生したときには、防災兼用寝具１は、水に浮かぶ救助具として機能する。防災兼用寝具１は、浮力体となる。防災兼用寝具１は通常は寝具として使用されるため、夜間における不意な水害において有効である。防災兼用寝具１を用いて寝ている使用者は、寝ている間に水害が発生したとしても、自身が使用している寝具をそのまま救助具として使用して、水に浮かぶことができる。そのため、救助性の優れた防災用具が提供される。このように、防災兼用寝具１は、通常の寝具としても、救助具としても、両方に優れている。
【００５４】
上記のマット１Ａは、乗物用のマット又は布団として有効である。乗物としては、自動車、列車、船、飛行機などが挙げられる。特にマット１Ａは、船用のマット又は布団として有効である。船においては、常に水の上に浮かんでおり、船が難破したときなどに上記のマット１Ａを用いて人命を救助することができる。船としては、海上を航海する船舶が好ましい。船舶では船の中で人が寝ることが要求される。特に、上記のマット１Ａでは、通常はマット又は布団として使用しつつ、緊急時には水に浮く救助具として使用が可能である。船としては、フェリーなどの大型船であってもよいし、ヨットなどの小型船であってもよい。上記のマット１Ａでは、救助具としてのスペースを少なくすることが可能である。上記のマット１Ａでは、船の中で、心地よい寝心地を付与することができる。上記のマット１Ａは軽いため、船の積載重量を減らすことができる。
【００５５】
また、上記のマット１Ａはアウトドア用品として使用してもよい。例えば、マット１Ａは、テントなどで使用することもできる。キャンプ中に水害などが発生したとしても、マット１Ａで人を救助することができる。
【００５６】
図３は、防災兼用寝具の他の一例を示している。図３は図３Ａ〜図３Ｄから構成される。図３Ｂでは、カバー５の内部が分かりやすいよう、カバー５の上側を除去して内部の様子を描画している。図３の防災兼用寝具は、枕１Ｂである。この寝具は、樹脂発泡体粒子２と袋３とカバー５とを備える。防災兼用寝具１は、寝具として機能するクッション性を有する。枕１Ｂの上で人が頭を置くことができる。もちろん、頭以外の部位を保持してもよい。枕１Ｂに頭を置いて人は横になることができる。以下、図３の枕１Ｂを説明するが、図１のマット１Ａと同じ構成については同じ符号を付して説明を省略する。
【００５７】
枕１Ｂは、芯材１０を有する。芯材１０は、樹脂発泡体粒子２と袋３とを有する。樹脂発泡体粒子２は、上記のマット１Ａで説明したものと同様であってよい。樹脂発泡体粒子２を収容した袋３は、枕１Ｂの芯材１０を構成する。芯材１０の内部には袋室１１が設けられている。袋室１１には樹脂発泡体粒子２が充填されている。樹脂発泡体粒子２は芯材１０が膨らんで形状が保持される程度に充填されていることが好ましい。図３の枕１Ｂでは、芯材１０は一つである。芯材１０の数はこれに限定されるものではなく、複数であってもよい。芯材１０が一つであると、製造が容易なる。袋３は、上記マット１Ａで説明したものと同様の材料から形成されていてよい。
【００５８】
枕１Ｂにおいても、袋３はファスナ４を有していることが好ましい。その理由は、上記と同じである。図３では、ファスナ４は長手方向の端部に配置されている。袋３は、撥水性を有していてもよい。
【００５９】
図３の枕１Ｂでは、芯材１０を収容するカバー５を備えている。防災兼用寝具１では、カバー５があることにより、取り扱い性及び弾力性が高まる。また、カバー５があることで、人が触れたときの接触感が良好になる。また、カバー５があることで、カバー５に容易に模様などの装飾を施すことができため、意匠性が向上しやすくなる。カバー５の内部には収容空間６が設けられている。カバー５は、撥水性を有することが好ましい。カバー５は上記で説明した発光部７を有していてもよい。カバー５は上記で説明した取っ手８を有していてもよい。カバー５は上記で説明したポケット１２及びファスナ９を有していてもよい。カバー５は、上記マット１Ａで説明したものと同様の材料から形成されていてよい。
【００６０】
枕１Ｂは、貫通孔１５を有することが好ましい。枕１Ｂが貫通孔１５を有すると、水に浮く際には、貫通孔１５に腕や足を通して使用することが可能になる。そのため、救助性が高まる。
【００６１】
枕１Ｂでは、芯材１０が貫通孔１５を有している。袋３は貫通孔１５を有する形状で複数の布地がつぎ合わされて形成されている。貫通孔１５は、通常の状態では、袋３の布地の変形性によって閉じているが、物体を通す時には開くように構成されている。図３Ｄは、貫通孔１５に腕や足などの物体が通る方向が矢印で図示されている。貫通孔１５の大きさは特に限定されるものではないが、腕や足を通すことが可能な大きさであることが好ましい。そのため、例えば、貫通孔１５の周囲の長さは例えば２０ｃｍ以上であってよい。また、貫通孔１５が大きすぎると身体に枕１Ｂを装着したときに枕１Ｂが身体から外れやすくなるおそれがある。そのため、例えば、貫通孔１５の周囲の長さは例えば１５０ｃｍ以下であってよい。貫通孔１５の大きさは、枕１Ｂを腕に装着したときに、肩付近に装着可能な大きさであってよい。それにより、救助具としての利便性が向上する。
【００６２】
図３の枕１Ｂでは、カバー５は、蓋部５ａを有している。蓋部５ａの部分では、カバー５を構成する布地が重なっており、蓋部５ａの奥では、芯材１０が配置された収容空間６に連通している。カバー５が蓋部５ａを有すると、通常の枕１Ｂとしての使用時には、貫通孔１５を覆い隠すことができ、使用性が良好になる。また、水害などによって水に浮く際には、蓋部５ａの間から手を侵入させて貫通孔１５に腕を通すことができ、使用性が向上する（図３Ｄ参照）。
【００６３】
防災兼用寝具１である枕１Ｂは、水に浮遊可能である。そのため、洪水、津波などの水害が発生したときには、水に浮遊する枕１Ｂによって人命が救助される。枕１Ｂの水浮き作用は、樹脂発泡体粒子２の気泡によって生じる。枕１Ｂは、淡水において、枕１Ｂに保持した２００ｋｇ以上の物体を浮かせることが好ましい。それにより、水害時に容易に人を救助することができる。枕１Ｂは、淡水において枕１Ｂに保持した３００ｋｇ以上の物体を浮かせることが好ましく、５００ｋｇ以上の物体を浮かせることが好ましく、１０００ｋｇ以上の物体を浮かせることが好ましい。浮かせる際の物体は、重りであってもよいし、人又は人の模型などが使用されてもよい。
【００６４】
防災兼用寝具１は、通常は、寝具として使用可能である。枕１Ｂは、人が就寝時に横たわる際の枕として使用できる。枕１Ｂは、樹脂発泡体粒子２が充填された芯材１０を有するため、弾力性に優れ、使用者に快適な使用感を与えることができる。また、枕１Ｂは、繰り返し圧縮に対する耐久性が高く、体重によるヘタリの発生が抑制される。枕１Ｂは、長期間に亘って柔らかい感触で快適に寝心地よく使用することができる。枕１Ｂは、樹脂発泡体粒子２を含むため、軽量で取り扱い性が優れている。さらに、芯材１０は樹脂発泡体粒子２の集合体であるため、樹脂発泡体粒子２の隙間を通して空気が流れやすい。そのため、枕１Ｂは通気性に優れ、快適な使用感を付与することができる。そして、水害が発生したときには、防災兼用寝具１は、水に浮かぶ救助具として機能する。防災兼用寝具１は、通常の寝具としても、救助具としても、両方に優れている。特に枕１Ｂを２つ以上使用することが好ましい。枕１Ｂが２つの場合、左右両方の腕に枕１Ｂを装着することができる。
【００６５】
図４は、防災兼用寝具１の他の一例を示している。図４は図４Ａ〜図４Ｃから構成される。図４の防災兼用寝具１は、マット１Ｔ（マットの第２例）である。この寝具は、樹脂発泡体粒子２と袋３とを備える。
【００６６】
図４のマット１Ｔは、上述したマットの第１例（図１及び図２のマット１Ａ参照）の芯材１０と同様の構成を有するものが、そのままマットとなったものである。マット１Ｔは、長方形状である。マット１Ｔでは、袋３がカバー（すなわち外生地）の機能を果たす。そのため、袋３がカバーを兼ねると考えて、上記のマット１Ａにおいて説明した事項は、そのままマット１Ｔに適用できる。上述した構成と同様の構成については、同じ符号を付して説明を省略する。
【００６７】
マット１Ｔでは、樹脂発泡体粒子２が充填された袋３がそのままマット１Ｔとなる。樹脂発泡体粒子２を収容する袋室１１は、複数設けられている。マット１Ｔでは、袋室１１がマット１Ｔの長手方向にわたって連結されている。袋室１１の数は、例えば、２０〜５０個の範囲であってよい。図４では、３７個の袋室１１が設けられている。
【００６８】
マット１Ｔでは、複数の袋室１１のうち、いくつかの袋室１１がその他の袋室１１よりも大きくなっている。図４Ｂでは、右から２番目から４番目の袋室１１の大きさが、その他の袋室１１よりも大きい。大きさの大きい袋室１１は、マット１Ｔの長手方向の端部近傍に設けられる。大きさの大きい袋室１１は、人が寝たときに頭が配置される場所となり、枕として機能することができる。一部の袋室１１の大きさが大きくなることで、枕を別途使用しなくてもよくなり、使用性が向上する。
【００６９】
マット１Ｔは、マット１Ｔの長手方向の両端部に取っ手８を備えている。取っ手８は、袋３に設けられている。取っ手８は袋３に縫着されていてよい。取っ手８が設けられることで、持ち運びが容易になる。
【００７０】
マット１Ｔは、短手方向の端部にファスナ４を備えている。ファスナ４は、袋３に設けられている。ただし、ファスナ４は、第１例のマット１Ａのファスナ４とは異なり、長手方向の全長にわたっておらず、長手方向の途中までで設けられている。ファスナ４は開閉可能である。ファスナ４の内部では、メッシュの布地が設けられており、樹脂発泡体粒子２が外部に飛び出さないようになっている。
【００７１】
マット１Ｔでは、ファスナ４から樹脂発泡体粒子２が飛び出さないように構成されている。樹脂発泡体粒子２が飛び出すと、樹脂発泡体粒子２が飛び散って周囲を汚したり、樹脂発泡体粒子２の量が減ったりしてしまうおそれがある。しかしながら、樹脂発泡体粒子２が飛び出さないと、樹脂発泡体粒子２が不用意に飛び散ることが防止される。
【００７２】
マット１Ｔのファスナ４は、水抜きとして機能する。水で使用したマット１Ｔは、袋３の内部に水が入るため、水から出たときには水を抜くことが求められる。袋３に水を通過させる穴がないと、水を抜くのに多大な時間を要する。しかしながら、ファスナ４があると、ファスナ４を開けて袋３内の水を抜くことができるため、水抜きを簡単に行うことができる。
【００７３】
マット１Ｔは、発光部７を備えている。発光部７は、袋３に設けられている。第２例のマット１Ｔでは、発光部７は、少なくとも長手方向の端部に設けられている。発光部７は、マット１Ｔの周囲に設けられるものであってよい。発光部７の具体的な態様は上述したとおりである。
【００７４】
図４Ｃに示すように、マット１Ｔは、持ち運びや収納のために、巻くことが可能である。巻き上げられたマット１Ｔは、コンパクトになる。マット１Ｔは、軽量なので、容易に持ち運びできる。図４Ｃでは、巻き上げられたマット１Ｔが、収納帯３１に収められている。収納帯３１は、マット１Ｔの周囲に配置して、マット１Ｔが広がらないようにすることができる。収納帯３１には、取っ手３２が設けられている。取っ手３２により、持ち運びが容易になる。
【００７５】
マット１Ｔは、通常は、寝具として使用可能であり、人が就寝時に横たわる際のマットとして使用できる。また、マット１Ｔは、車載用、船舶用、レジャー用のマットとしても有用である。マット１Ｔは、樹脂発泡体粒子２が充填された袋３を有するため、弾力性に優れ、使用者に快適な使用感を与えることができる。そして、水害が発生したときには、マット１Ｔは、水に浮かぶ救助具として機能する。マット１Ｔは通常は寝具として使用されるため、就寝時における不意な水害において有効である。防災兼用寝具１を用いて寝ている使用者は、寝ている間に水害が発生したとしても、自身が使用している寝具をそのまま救助具として使用して、水に浮かぶことができる。そのため、救助性の優れた防災用具が提供される。このように、マット１Ｔは、通常の寝具としても、救助具としても、両方に優れている。
【００７６】
図５及び図６は、防災兼用寝具１の他の一例を示している。図５は図５Ａ〜図５Ｃから構成される。図６は図６Ａ〜図６Ｃから構成される。図５及び図６の防災兼用寝具１は、マット１Ｓ（マットの第３例）である。この寝具は、樹脂発泡体粒子２と袋３とを有する芯材１０と、芯材１０を収容するカバー５とを備える。上述した構成と同様の構成については、同じ符号を付して説明を省略する。
【００７７】
第３例のマット１Ｓは、以下で説明する事項以外は、上述したマットの第１例（図１及び図２のマット１Ａ参照）と同様の構成を有し得る。そのため、上記において説明した事項は、そのままマット１Ｓに適用できる。
【００７８】
マット１Ｓは、樹脂発泡体粒子２と袋３とカバー５とを備える。樹脂発泡体粒子２と袋３とは、芯材１０を構成する。図６で示すように、第１例のマット１Ａとは異なり、マット１Ｓでは、芯材１０は１つである。芯材１０は、マット１Ｓの長手方向にわたって設けられている。袋３には、複数の袋室１１が設けられている。袋室１１が複数になると安定した浮力が得られる。また、袋室１１が複数の場合、万一、破損しても、一部分の破損で留めることができる。袋室１１には、樹脂発泡体粒子２が充填されている。マット１Ｓでは、袋室１１の数は、例えば、２０〜５０個の範囲であってよい。図６では、３１個の袋室１１が設けられている。
【００７９】
マット１Ｓは、ポケット１２を備えている。ポケット１２は、カバー５に設けられている。ポケット１２は、物体を収納することが可能である。カバー５には、ファスナ９が設けられており、ファスナ９の開閉により、ポケット１２の開閉が可能である。マット１Ｓでは、ポケット１２は、マット１Ｓの長手方向の端部に設けられている。ポケット１２が長手方向の端部に設けられることで、使用者の頭に近い位置に物体を保管することができるため、利便性が向上する。
【００８０】
ポケット１２は、カバー５の表地５１と芯材１０との間に設けられる（図６Ｂ、図６Ｃ参照）。ポケット１２は、布地５３の縫製によって形成される。布地５３は、カバー５の表地５１に近い布地５３ａと、芯材１０に近い布地５３ｂとで構成される。ポケット１２は、メッシュ生地を有することが好ましい。たとえば、布地５３ｂがメッシュ生地で形成される。ポケット１２は、好ましくは水抜き機能を備えている。
【００８１】
マット１Ｓは、図５で示すように、発光部７を有する。発光部７は、カバー５に設けられている。発光部７の具体的な態様は、第１例のマット１Ａと同様であってよい。
【００８２】
マット１Ｓは、タグ２２を備えている。タグ２２は、発光部７を形成する材料の一部が飛び出すことで形成されている。タグ２２は、マット１Ｓの表面に設けられる。タグ２２には、使用者の氏名や年齢、性別、血液型を記載できる欄が設けられている。タグ２２に、使用者の情報を記載することにより、被災時の救助において求められる情報を速やかに得ることができる。なお、タグ２２は、発光部７の材料とは異なる材料で、別途設けられてもよい。
【００８３】
マット１Ｓは、取っ手８を備えている。取っ手８は、カバー５に設けられている。マット１Ｓでは、取っ手８として、外部に露出する取っ手８Ａ（第１の取っ手）と、外部に露出しない取っ手８Ｂ（第２の取っ手）とが設けられている。
【００８４】
取っ手８Ａは、持ち運び、移動、収容などの際に、使用する取っ手である。使用者は、取っ手８Ａをつかんで、マット１Ｓを移動させることができる。取っ手８Ａは、マット１Ｓの表面の中央に設けられている。
【００８５】
取っ手８Ｂは、袋部２０の内部に設けられている。図５Ｂでは、袋部２０の布地で隠れている取っ手８Ｂが破線で描画されている。マット１Ｓは、外面で開口する袋部２０が設けられている。袋部２０は、マット１Ｓの表面で開口している。袋部２０は、カバー５に設けられている。袋部２０は、カバー５の表地５１に、布地２１が縫着されることで形成されている。袋部２０は、ポケット状である。布地２１は、マット１Ｓの短手方向にわたって配置される。布地２１は、マット１Ｓの長手方向の途中まででカバー５の本体に重ねられており、袋部２０の開口は、マット１Ｓの中央部に設けられる。袋部２０は、長手方向に向かって開口している。取っ手８Ｂは、袋部２０の内部に設けられており、通常の使用時には、外面に現れない。取っ手８Ｂは、袋部２０の奥部に設けられている。取っ手８Ｂは、カバー５の表地５１に縫着されている。
【００８６】
袋部２０内に設けられた取っ手８Ｂは、緊急時にマット１Ｓを保持する際に使用される。緊急時には、使用者は袋部２０に手を入れて、取っ手８Ｂを持ってマット１Ｓを保持することができる。取っ手８Ｂは、袋部２０に２つ設けられている。取っ手８Ｂは１つでもよいが、取っ手８Ｂが２つ設けられると、両手でマット１Ｓを保持できるため、マット１Ｓを強く保持することが可能になる。なお、取っ手８Ｂは３つ以上でもよい。取っ手８Ｂは、マット１Ｓの短手方向の両端部に設けられることが好ましい。それにより、マット１Ｓの両端でマット１Ｓを保持することができるため、保持力が高まる。
【００８７】
取っ手８Ｂが袋部２０内に収められていることで、取っ手８Ｂは通常の使用では、外部に露出しない。そのため、取っ手８Ｂが使用の邪魔になることを防止できる。
【００８８】
図７は、上記のマット１Ｓの使用例を示す説明図である。図７は図７Ａ〜図７Ｄから構成される。図７Ａに示すように、マット１Ｓは、通常、寝具（たとえば敷布団）として使用可能である。また、被災時の避難所においても、寝具として使用可能である。図７Ａでは、マット１Ｓの上に、敷きパッド３０が配設され、その敷きパッド３０の上に、使用者４０が横たわっている。敷きパッド３０はマット１Ｓの片面を覆う大きさであり、四隅に設けられたゴムバンド３３でマット１Ｓに取り付けられている。敷きパッド３０の使用により、使用感が向上する。また、マット１Ｓは、袋部２０の開口や取っ手８Ａが表面に現れるが、敷きパッド３０は、それらを隠すことができ、安全で心地よくマット１Ｓを使用することができる。ただし、敷きパッド３０はなくてもよい。また、マット１Ｓは、表裏逆にして、取っ手８Ａがある面を下にして使用してもよい。
【００８９】
図７Ｂに示すように、地震などにおいて上から落下物が落ちてくる場合には、マット１Ｓを被って使用者４０は落下物から身を守ることができる。このとき、マット１Ｓでは、使用者４０は、袋部２０内の取っ手８Ｂをつかんでマット１Ｓを保持することができるため、マット１Ｓを確実に保持することができる。また、取っ手８Ｂをつかんだ手を袋部２０によって保護することができる。取っ手８Ｂはハンドグリップとして機能することができる。
【００９０】
図７Ｃに示すように、マット１Ｓを持ち運ぶ際には、マット１Ｓを丸めることができる。マット１Ｓは巻くことによりコンパクトになる。マット１Ｓは軽量なため、使用者４０が片手で持つことが可能であり、図７Ｃのように肩にかつぐことも容易である。なお、マット１Ｓにおいては、図４Ｃのマット１Ｔの使用例に示されるのと同様に、巻かれたマット１Ｓが収納帯３１によって収められてもよい。それにより、マット１Ｓの移動や収納が容易になる。
【００９１】
図７Ｄに示すように、水害が迫ってきた場合、たとえば、津波が迫ってきた場合や、増水した川の水が迫ってきた場合には、使用者４０は、マット１Ｓに乗り、袋部２０に両手を入れて、両手で取っ手８Ｂを握ることができる。それにより、使用者４０は、安定してマット１Ｓの上に乗ることができ、水に浮いて水害から身を守ることができる。また、袋部２０は、顔面の前に配置され、水よけとしての機能を有することができる。取っ手８Ｂを握った手は、袋部２０によって保護される。袋部２０は、手に物理的な危害が加わったり、手が冷えたりするのを抑制することができる。
【００９２】
以上のように、マット１Ｓは、通常は、寝具として使用可能であり、人が就寝時に横たわる際のマットとして使用できる。マット１Ｓは、樹脂発泡体粒子２が充填された袋３を有するため、弾力性に優れ、使用者に快適な使用感を与えることができる。そして、水害が発生したときには、マット１Ｓは、水に浮かぶ救助具として機能する。マット１Ｓは、人を乗せて浮遊可能である。マット１Ｓは通常は寝具として使用されるため、就寝時における不意な水害において有効である。防災兼用寝具１を用いて寝ている使用者は、寝ている間に水害が発生したとしても、自身が使用している寝具をそのまま救助具として使用して、水に浮かぶことができる。そのため、救助性の優れた防災用具が提供される。このように、マット１Ｓは、通常の寝具としても、救助具としても、両方に優れている。
【実施例】
【００９３】
図１で示されるマットを試作した。樹脂発泡体粒子は発泡ポリエチレンで構成されている。芯材の袋はポリエステル繊維で構成されている。カバーはナイロン繊維の布で構成されている。
【００９４】
マットを用いて、人が横たわったところ、快適な使用感が得られた。よって、寝具として優れていることが確認された。
【００９５】
次に、マットを湖（淡水湖）に放したところ、マットは水に浮いた。水に浮遊するマットに人が載ったところ、マットは沈むことなく、人を水の上に浮かばせることができた。図８は、マットの水浮遊時の使用状態を示す写真である。図８に示されるように、マットは人を浮かばせることが可能である。また、このマットでは、陸上でマットの上に横たわった人を取っ手を持って移動させることができ、担架として使用可能であった。
【００９６】
さらに、海での使用を想定した実験として、造波実験設備において、マットに１００ｋｇの重りを載せて７２時間放置し、周期１．０ｓ、波高５ｃｍの波を２４時間作動させた。その結果、マットは転覆したり、沈み込んだりすることがなく、緊急時の浮き袋代わりとなることが分かった。
【００９７】
以上のように、防災兼用寝具は、寝装品としての機能を満足するとともに、防災用具及び救助具として優れている。
【符号の説明】
【００９８】
１      防災兼用寝具
１Ａ、１Ｓ、１Ｔ    マット
１Ｂ    枕
２      樹脂発泡体粒子
３      袋
４      ファスナ
５      カバー
７      発光部
８      取っ手
９      ファスナ
１０    芯材
１２    ポケット
２０    袋部
【図１】
2016005548.tif 000003
【図２】
2016005548.tif 000004
【図３】
2016005548.tif 000005
【図４】
2016005548.tif 000006
【図５】
2016005548.tif 000007
【図６】
2016005548.tif 000008
【図７】
2016005548.tif 000009
【図８】
2016005548.tif 000010